【事件の表示】
　平成４年特許願第３３９１０８号「光ファイバ照光装置」拒絶査定に対する審判事件［平成６年７月８日出願公開、特開平６−１８６４３１号］について、次のとおり審決する。
【結　論】
　本件審判の請求は、成り立たない。
【理　由】
１．手続の経緯
　　　
　本願は、平成４年１２月１８日の特許出願であって、平成１３年１０月２５日（発送日：１０月３０日）付けで拒絶査定がなされ、これに対し、同年１１月２９日に拒絶査定に対する審判請求がされるとともに、その後平成１５年９月１６日付けで拒絶理由の通知がなされ、平成１５年１１月１７日付けで意見書及び手続補正書が提出されたものである。
　　　
２．本願発明
　　　
　請求項１に係る発明（以下、「本願発明」という。）は、特許請求の範囲の請求項１に記載された次のとおりのものである。
「端面から入射した光が側面の全部若しくは所望部分から漏光する一本又は複数本のプラスチック光ファイバ束と、
　該プラスチック光ファイバ束の両端に光学的に接続した複数個の光源と、
　各プラスチック光ファイバ束の両端と各光源との間に配設され、検出片を備えた複数色のカラーフィルタからなる複数個の回転円板と、
　前記検出片を検出するためのセンサと、
　該センサからの信号に基づいて各回転円板の回転を一回の回転毎に検出タイミングを合わせるように制御する制御装置とが備えられていることを特徴とする光ファイバ照光装置。」
　　　
３．刊行物の記載
　　　
（１）刊行物１
　これに対して、当審において拒絶の理由に引用した特開昭５６−１３０７９３号公報（以下、「刊行物１」という。）には、図面とともに以下の事項が記載されている。
（イ）「光学繊維を導光部材として光源からの光あるいは像を表示板に照映させる表示装置において、上記表示板における表示単位を複数個に分割し、分割された表示単位ごとに導光部材の束を光源に接続するとともに、各光源に設置されたフィルタの運動をあらかじめ定められた位置にそれぞれ停止させた後、始動信号を各フィルタの駆動部に送出して、各フィルタを同期運動させることを特徴とする表示装置におけるフィルタ駆動制御方法。」（特許請求の範囲第１項）
（ロ）「光学繊維を導光部材として光源からの光あるいは像をフィルタを介して表示板に照映させる複数の表示単位を有する表示装置において、各フィルタがあらかじめ定められた位置まで運動したとき、各フィルタの駆動部を停止する手段、および該停止手段の出力信号と始動スイッチの操作信号との論理積により、各フィルタの駆動部を同期運動させる手段を設けることを特徴とするフィルタ駆動制御装置。」（特許請求の範囲第２項）
（ハ）「本発明は、表示装置におけるフィルタ駆動制御方法および装置に関し、特に合成樹脂の光学繊維を用いた大型広告サインのフィルタ駆動制御方法および制御装置に関するものである。」（公報１頁右欄５〜８行）
（ニ）「合成樹脂の光学繊維を用いた大型看板用表示装置は、第１図に示すように、看板１４に多数の光学繊維１３の先端を埋込んで文字や図形の表示単位を形成し、各光学繊維１３を集束して集束具３に収納し、モータ１１によって回転されるカラー・フィルタ１を介して光源ランプ１２を設けることにより完成される。」（公報２頁左上欄１８〜同頁右上欄４行）
（ホ）「表示板１４の各文字Ａ，Ｂ，Ｃの部分に光学繊維束１３を埋め込み、それぞれカラー・フィルタ１の前面で集束させ、光源１２でカラー・フィルタ１に転写された映像を光学繊維収束部に照写し、駆動モータ１１でカラー・フィルタ１を回転させることにより、表示板１４の文字内で光または像が動く。」（公報３頁左上欄３〜９行）
（ヘ）「カラー・フィルタ１，１’，１”には、それぞれリミット・スイッチ２，２’，２”が取付けられており、これらのリミット・スイッチ２，２’，２”およびフィルタ駆動用モータ１１，１１’，１１”は制御箱１９に制御線で接続されている。」（公報３頁左上欄１５〜１９行）
（ト）「制御箱１９のスタート・スイッチＳＴをオンにすると、フィルタ駆動用モータ１１，１１’，１１”が同時に駆動して各カラー・フィルタ１，１’，１”は定められた位置から同期して回転を開始する。この場合、同一の特性を有するフィルタ駆動用モータ１１，１１’，１１”に対して、同一周波数の交流電力あるいはパルス電力を加えることにより、カラー・フィルタ１，１’，１”は互いに回転開始時の角度差をもって回転を続ける。例えば、７色に分割されたカラー・フィルタ１，１’，１”の場合には、同一角度で回転を開始すれば、表示板１４では各文字が同じ色で変化する」（公報３頁右上欄８〜２０行）
（チ）「プログラマブル・コントローラ２０内には、　・・・　メモリ２５が設けられ、またメモリ２５には、同期検出調整運転プログラム、同期はずれ検出警報プログラム、回転数・正逆転制御プログラム、等のプログラムが格納されており、キー２４の操作によりプログラムを指定することができる。　第１のタイマを内蔵した自動制御器１９は、先ず、フィルタ駆動用モータ１１，１１’，１１”の回転をリミット・スイッチ２，２’，２”で検出し、各々所定の位置で停止させた後、自動制御器１９のスタート信号によりモータ１１，１１’，１１”を同期駆動させる。　その後は、プログラマブル・コントローラ２０で選択された回転数・正逆転制御プログラムによりインバータ（フリップ・フロップ）１８の出力周波数を調整し、カラー・フィルタの回転速度を制御する。　また、回転中は常時、リミット・スイッチ２，２’，２”で、同期はずれ検知警報プログラムを実行させて、同期運転しているか否かを監視し、同期がはずれたり、回転が停止したときには制御リレー３０を動作して主スイッチ１６を切断してランプ１２，１２’，１２”を消す。」（公報４頁右上欄１１〜同頁左下欄１５行）
（リ）第１図には、集束具３に収納された光学繊維束の端面から光が入射していることが示されている。
（ヌ）第２図には、３つの光学繊維束にそれぞれ対応した光源１２を設け、各光学繊維束と各光源１２の間にそれぞれ円板状のカラー・フィルター１を配設することが示されている。
　そして、上記記載及び図示内容を総合すると、刊行物１には次の発明（以下、「引用発明１」という。）が記載されていると認められる。
「端面から入射した光を光学繊維束の先端を埋め込んだ表示板で照映させる３つの合成樹脂の光学繊維束と、
　該合成樹脂の光学繊維束に対応して設けられた３つの光源ランプ１２と、
　各合成樹脂の光学繊維束と各光源ランプ１２の間に配設されたリミット・スイッチを備えた３つの７色に分割された円板状のカラー・フィルター１と、
　リミット・スイッチに基づいて各円板状のカラー・フィルター１の回転を同期制御するフィルタ駆動制御装置とが備えられている合成樹脂の光学繊維を用いた表示装置。」
　　　
（２）刊行物２
　同拒絶の理由で引用した特開昭５９−１２７００４号公報（以下、「刊行物２」という。）には図面とともに以下の事項が記載されている。
（イ）「多数本のプラスチック系光ファイバーを支持材に配列してなる表示用導光体であって、該プラスチック系光ファイバーの所要箇所に屈曲部を設けると共に、この屈曲部を出射側面とし、かつプラスチック系光ファイバーの両端を光源近傍に位置できるようになしたことを特徴とする表示用導光体。」（特許請求の範囲第１項）
（ロ）「またこのプラスチック系光ファイバー(1)の両端(12)は集束され、固着されて光源(3)近傍に臨設しやすいように設置されている。なお、図中（4）は光源(3)と入射側(12)との間にあって回転駆動される着色フィルターである。」（公報２頁右上欄８〜１３行）
（ハ）「第１図は最も基本的な適用例を示しており、第５図(A)の如く個々のプラスチック系光ファイバー(1)を２つ折りにしてその中央部分に屈曲部(11)を形成し、これを支持材(2)の１つの透孔に嵌合して固定したものである。・・・本発明においては出射すべき所要箇所に屈曲部(11)が形成され、この屈曲部(11)が出射側面とされている・・・ここより光を漏光させる」（公報２頁左下欄７行〜同頁右下欄７行）
（ニ）「第２図は、２つの光源を用いた表示装置に適用した例を示す・・・プラスチック系光ファイバー(1)の両端(12)を、それぞれの光源(3)近傍に位置せしめたものである。・・・プラスチック系光ファイバー(1)の両端(12)より別々の光源(3)からの光を入射させると、両者を和した強い光を屈曲部(11)より出射させることができる。勿論、２つの光源(3)の色を変えることにより両者の混合した色で出射させることができる」（公報２頁右下欄１３行〜３頁左上欄７行）
（ホ）「同図（Ｆ）は１つの照光箇所に数本のプラスチック系光ファイバー(1)を配設させたもの」（公報３頁右上欄１５〜１６行）
（ヘ）第５図には、光ファイバの端面近傍に光源を光学的に接続し、光ファイバの側面の所望部分から漏光する点が示されている。
　そして、上記記載及び図示内容を総合すると、刊行物２には次の発明（以下、「引用発明２」という。）が記載されていると認められる。
「端面から入射した光が側面の所望部分から漏光するプラスチック系光ファイバーと、プラスチック系光ファイバーの両端に光学的に接続した２つの光源と、各プラスチック系光ファイバーの両端と各光源との間に配設され、回転駆動される着色フィルターとからなるプラスチック系光ファイバーを有する表示用導光体。」
　　　
４．対比・判断
　　　
　本願発明と引用発明１とを対比すると、引用発明１の「合成樹脂の光学繊維束」はその作用・機能からみて本願発明の「プラスチック光ファイバ束」に相当し、以下同様に「照映させる」は「漏光する」に、「３つ」は「複数本」もしくは「複数個」に、「光源ランプ１２」は「光源」に、「７色」は「複数色」に、「円板状のカラー・フィルター１」は「カラーフィルタからなる回転円板」に、「合成樹脂の光学繊維を用いた表示装置」は「光ファイバ照光装置」に、「フィルタ駆動制御装置」は「制御装置」に、それぞれ相当するものといえる。
　そして、引用発明１の光源ランプ１２はその配置態様からみて、光学的に接続したものといえるから、本願発明と引用発明１とは、
「端面から入射した光が漏光する複数本のプラスチック光ファイバ束と、
　該プラスチック光ファイバ束に光学的に接続した複数個の光源と、
　各プラスチック光ファイバ束と各光源との間に配設された複数色のカラーフィルタからなる複数個の回転円板と、
　各回転円板の回転を制御する制御装置とが備えられている光ファイバ照光装置」
の点で一致し、次の点で相違する。
［相違点１］
　プラスチック光ファイバ束の漏光する箇所に関して、本願発明が、側面の全部若しくは所望部分であるのに対し、引用発明１が、プラスチック光ファイバの光源に対応した端部とは反対側の端部である表示板に埋め込まれた光学繊維束の先端である点。
［相違点２］
　複数個の光源と複数個の回転円板の配置に関して、本願発明が、プラスチック光ファイバ束の両端に配置するのに対し、引用発明１が、その旨の構成を有していない点。
［相違点３］
　各回転円板の制御に関して、本願発明が、検出片を備えた回転円板と、検出片を検出するためのセンサと、各回転円板の回転をセンサからの信号に基づいて一回の回転毎に検出タイミングを合わせるように制御するのに対し、引用発明１が、リミット・スイッチを備えた回転円板と、リミット・スイッチに基づいて各回転円板の回転を同期制御する点。
　そこで、上記各相違点について、以下に検討する。
［相違点１］及び［相違点２］について
　引用発明２の「プラスチック系光ファイバーを有する表示用導光体」（本願発明の「光ファイバ照光装置」に相当。）は、引用発明１と同一の技術分野に属するものであり、光ファイバーの端面から入射した光が「側面の所望部分から漏光する」こと、光ファイバーの「両端」に２つの光源を光学的に接続すること、及び、その「両端」と各光源との間に回転円板（着色フィルター）を配設すること、をそれぞれ開示するものであり、引用発明１のプラスチック光ファイバにおいて、引用発明２の上記開示された事項を適宜採用して、本願発明の相違点１及び２に係る構成に想到することは、当業者であれば容易になし得ることである。
［相違点３］について
　引用発明１の回転位置検出・制御のための位置検出手段と認められるリミット・スイッチを、回転体に設けられた検出片及びセンサとすることは、位置検出手段として周知の手段の置き換えにすぎない。また、１回の回転毎に検出タイミングを合わせるように制御することは、どの程度の頻度・精度で制御を行うかという当業者が必要に応じて適宜なし得る単なる設計的事項であるといえる。
　したがって、相違点３に係る発明の構成は、引用発明１及び周知の手段に基づいて当業者が容易に想到することのできたものである。
　　　
　そして、本願発明により奏される効果は、刊行物１及び２に記載された発明及び上記周知の手段から当業者が容易に予測し得る範囲のものであるというべきである。
　　　
５．むすび
　　　
　以上のとおり、本願発明は引用発明１及び引用発明２及び上記周知の手段に基いて当業者が容易に発明をすることができたものであるから、特許法第２９条第２項の規定により特許を受けることができない。
　よって、結論のとおり審決する。